(57)【特許請求の範囲】
【請求項１】
無線周波数受信信号を受信し、第1のタイプの干渉除去器に前記無線周波数受信信号を送信するように構成された、メイン受信アンテナと、
送信信号に従って生成された無線周波数基準信号を取得し、前記第1のタイプの干渉除去器および第2のタイプの干渉復元器に前記無線周波数基準信号を送信するように構成された、分波器と、
前記分波器によって送信された前記無線周波数基準信号および前記メイン受信アンテナによって送信された前記無線周波数受信信号を受信し、前記無線周波数基準信号に従って前記無線周波数受信信号内の第1のタイプの自己干渉成分を除去して、第1の処理信号を取得するように構成された、前記第1のタイプの干渉除去器であって、前記第1のタイプの自己干渉成分がメインパス自己干渉成分を備える、前記第1のタイプの干渉除去器と、
自己干渉チャネルパラメータおよび前記分波器によって送信された前記無線周波数基準信号に従って復元自己干渉信号を取得するように構成された、前記第2のタイプの干渉復元器と、
前記第1の処理信号および前記第2のタイプの干渉復元器によって送信された前記復元自己干渉信号を受信し、前記復元自己干渉信号に従って前記第1の処理信号内の第2のタイプの自己干渉成分を除去して、第2の処理信号を生成するように構成された、カプラと、
前記第2の処理信号に対してダウンコンバージョン処理を実行して第3の処理信号を生成するように構成された、ダウンコンバータと、
前記第3の処理信号に対してアナログデジタル変換を実行してデジタル信号を生成するように構成された、アナログデジタル変換器ADCと
を備え、
前記第2のタイプの干渉復元器が、デジタルベースバンド基準信号を取得し、前記アナログデジタル変換器ADCによって生成された前記デジタル信号および前記分波器によって送信された前記無線周波数基準信号を受信し、前記デジタルベースバンド基準信号および前記デジタル信号に従って自己干渉チャネル推定を実行して、前記自己干渉チャネルパラメータを取得するように、さらに構成される、
干渉除去装置。
【請求項２】
前記第2のタイプの干渉復元器が、
前記デジタルベースバンド基準信号を取得し、前記アナログデジタル変換器ADCによって生成された前記デジタル信号を受信し、前記デジタルベースバンド基準信号および前記デジタル信号に従って自己干渉チャネル推定を実行して、前記自己干渉チャネルパラメータを取得するように構成された、自己干渉推定モジュールと、
前記分波器によって送信された前記無線周波数基準信号および前記自己干渉推定モジュールによって取得された前記自己干渉チャネルパラメータを受信し、前記自己干渉チャネルパラメータおよび前記無線周波数基準信号に従って前記復元自己干渉信号を取得するように構成された、自己干渉信号復元モジュールと
を備える、請求項1に記載の装置。
【請求項３】
第1の増幅器をさらに備え、前記第1の増幅器が前記第2の処理信号を増幅するように構成される、請求項1または2に記載の装置。
【請求項４】
第2の増幅器と、第3の増幅器とをさらに備え、
前記第2の増幅器が、前記第1の処理信号を増幅するように構成され、
前記第3の増幅器が、前記第2のタイプの干渉復元器によって受信された前記無線周波数基準信号を増幅するように構成される、
請求項1から3のいずれか一項に記載の装置。
【請求項５】
前記自己干渉信号復元モジュールが、
第1の遅延器グループと、第1の振幅および位相調整器グループと、第1のコンバイナと
を備え、
前記第1の遅延器グループが少なくとも1つの遅延器を備え、前記少なくとも1つの遅延器が直列に接続され、前記第1の遅延器グループが、前記無線周波数基準信号を受信し、順次前記少なくとも1つの遅延器を使用することによって前記無線周波数基準信号に対して遅延処理を実行して、少なくとも1つの無線周波数基準信号の遅延信号を形成するように構成され、
前記第1の振幅および位相調整器グループが少なくとも1つの振幅および位相調整器を備え、各振幅および位相調整器が、前記自己干渉チャネルパラメータに従って1つの無線周波数基準信号の遅延信号に対して振幅および位相の調整を実行するように構成され、
前記第1のコンバイナが、無線周波数基準信号の遅延信号であり、振幅および位相の調整後に取得された遅延信号に対して合成処理を実行して、前記復元自己干渉信号を生成するように構成される、
請求項2に記載の装置。
【請求項６】
前記自己干渉信号復元モジュールが、
前記少なくとも1つの無線周波数基準信号の前記遅延信号を受信し、すべての無線周波数基準信号の遅延信号から、前記自己干渉チャネルパラメータに従って少なくとも1つの無線周波数基準信号の遅延信号を選択し、前記少なくとも1つの無線周波数基準信号の前記選択された遅延信号を前記第1の振幅および位相調整器グループに送信するように構成された、第1の無線周波数選択スイッチ
をさらに備える、請求項5に記載の装置。
【請求項７】
前記自己干渉信号復元モジュールが、
第2の遅延器グループと、第2の振幅および位相調整器グループと、第2のコンバイナと
を備え、
前記第2の遅延器グループが、少なくとも1つの循環器および少なくとも1つの遅延器を備え、前記少なくとも1つの循環器が、第1のポートおよび第3のポートを使用することによって直列に接続され、前記遅延器の一端が前記循環器の第2のポートに接続され、前記第1の遅延器グループが、前記無線周波数基準信号を受信し、順次前記少なくとも1つの遅延器を使用することによって前記無線周波数基準信号に対して遅延処理を実行して、少なくとも1つの無線周波数基準信号の遅延信号を形成するように構成され、
前記第2の振幅および位相調整器グループが少なくとも1つの振幅および位相調整器を備え、各振幅および位相調整器が、前記自己干渉チャネルパラメータに従って1つの無線周波数基準信号の遅延信号に対して振幅および位相の調整を実行するように構成され、
前記第2のコンバイナが、無線周波数基準信号の遅延信号であり、振幅および位相の調整後に取得された遅延信号に対して合成処理を実行して、前記復元自己干渉信号を生成するように構成される、
請求項5または6に記載の装置。
【請求項８】
前記自己干渉信号復元モジュールが、
前記少なくとも1つの無線周波数基準信号の前記遅延信号を受信し、すべての無線周波数基準信号の遅延信号から、前記自己干渉チャネルパラメータに従って少なくとも1つの
無線周波数基準信号の遅延信号を選択し、前記少なくとも1つの無線周波数基準信号の前記選択された遅延信号を前記第2の振幅および位相調整器グループに送信するように構成された、第2の無線周波数選択スイッチ
をさらに備える、請求項7に記載の装置。
【請求項９】
前記振幅および位相調整器が、減衰器と、移相器とを備え、
前記減衰器が、前記自己干渉チャネルパラメータに従って、前記無線周波数基準信号の遅延信号であり、無線周波数選択スイッチによって送信された受信遅延信号に対して振幅調整処理を実行するように構成され、
前記移相器が、前記自己干渉チャネルパラメータに従って、前記無線周波数基準信号の遅延信号であり、前記減衰器によって実行された振幅調整処理の後に取得された遅延信号に対して移相処理を実行するように構成される、
請求項6または8に記載の装置。
【請求項１０】
前記第1のタイプの干渉除去器が、具体的に、前記無線周波数基準信号の振幅が、前記無線周波数受信信号内の前記第1のタイプの自己干渉成分の振幅と反対もしくはほぼ反対の方向になり、前記無線周波数基準信号の位相が、前記無線周波数受信信号内の前記第1のタイプの自己干渉成分の位相と同じもしくはほぼ同じになるように、前記無線周波数受信信号に基づいて、前記無線周波数基準信号に対する遅延処理、振幅調整処理、および位相調整処理を実行すること、または
前記無線周波数基準信号の振幅が、前記無線周波数受信信号内の前記第1のタイプの自己干渉成分の振幅と同じもしくはほぼ同じになり、前記無線周波数基準信号の位相と前記無線周波数受信信号内の前記第1のタイプの自己干渉成分の位相との間の差が、180度もしくはほぼ180度になるように、前記無線周波数受信信号に基づいて、前記無線周波数基準信号に対する遅延処理、振幅調整処理、および位相調整処理を実行すること
を行うように構成される、請求項1から9のいずれか一項に記載の装置。
【請求項１１】
前記自己干渉推定モジュールが、フィールドプログラマブルゲートアレイ(FPGA)、中央処理装置(CPU)、または特定用途向け集積回路(ASIC)を備える、請求項2、5、6、7、8、9のいずれか一項に記載の装置。
【請求項１２】
送信信号に従って生成された無線周波数基準信号を取得するステップと、
メイン受信アンテナを使用することによって無線周波数受信信号を受信するステップと、
前記無線周波数基準信号に従って前記無線周波数受信信号内の第1のタイプの自己干渉成分を除去して、第1の処理信号を生成するステップであって、前記第1のタイプの自己干渉成分がメインパス自己干渉成分を備える、ステップと、
自己干渉チャネルパラメータおよび前記無線周波数基準信号に従って復元自己干渉信号を取得するステップと、
前記復元自己干渉信号に従って前記第1の処理信号内の第2のタイプの自己干渉成分を除去して、第2の処理信号を生成するステップと、
前記第2の処理信号に対してダウンコンバージョン処理を実行して第3の処理信号を生成するステップと、
前記第3の処理信号に対してアナログデジタル変換を実行してデジタル信号を生成するステップと、
デジタルベースバンド基準信号を取得し、前記デジタルベースバンド基準信号および前記デジタル信号に従って自己干渉チャネル推定を実行して、前記自己干渉チャネルパラメータを取得するステップと
を備える、干渉除去方法。
【請求項１３】
前記第2の処理信号を増幅するステップをさらに備える、請求項12に記載の方法。
【請求項１４】
前記第1の処理信号を増幅するステップと、
前記自己干渉チャネルパラメータおよび前記無線周波数基準信号に従って前記復元自己干渉信号を取得する前記ステップの前に、前記無線周波数基準信号を増幅するステップと
をさらに備える、請求項12または13に記載の方法。
【請求項１５】
自己干渉チャネルパラメータおよび前記無線周波数基準信号に従って前記復元自己干渉信号を取得する前記ステップが、
少なくとも1回前記無線周波数基準信号に対して遅延処理を実行して、少なくとも1つの無線周波数基準信号の遅延信号を形成するステップと、
前記自己干渉チャネルパラメータに従って、各無線周波数基準信号の遅延信号に対して振幅および位相の調整を実行するステップと、
無線周波数基準信号の遅延信号であり、振幅および位相の調整後に取得された遅延信号に対して合成処理を実行して、前記復元自己干渉信号を生成するステップと
を備える、請求項12から14のいずれか一項に記載の方法。
【請求項１６】
前記自己干渉チャネルパラメータに従って、各無線周波数基準信号の遅延信号に対して振幅および位相の調整を実行する前記ステップの前に、
すべての無線周波数基準信号の遅延信号から、前記自己干渉チャネルパラメータに従って少なくとも1つの無線周波数基準信号の遅延信号を選択するステップ
をさらに備え、
前記自己干渉チャネルパラメータに従って、各無線周波数基準信号の遅延信号に対して振幅および位相の調整を実行する前記ステップが、具体的に、前記少なくとも1つの無線周波数基準信号の前記選択された遅延信号内の各無線周波数基準信号の前記遅延信号に対して振幅および位相の調整を実行するステップである、
請求項15に記載の方法。
【請求項１７】
前記自己干渉チャネルパラメータに従って、各無線周波数基準信号の遅延信号に対して振幅および位相の調整を実行する前記ステップが、
前記自己干渉チャネルパラメータに従って、前記無線周波数基準信号の前記遅延信号に対して振幅調整処理を実行するステップと、
前記自己干渉チャネルパラメータに従って、前記無線周波数基準信号の遅延信号であり、振幅調整処理が実行された後に取得された遅延信号に対して移相処理を実行するステップと
を備える、請求項15に記載の方法。
【請求項１８】
前記無線周波数基準信号に従って前記無線周波数受信信号内の第1のタイプの自己干渉成分を除去する前記ステップが、
前記無線周波数基準信号の振幅が、前記無線周波数受信信号内の前記第1のタイプの自己干渉成分の振幅と反対もしくはほぼ反対の方向になり、前記無線周波数基準信号の位相が、前記無線周波数受信信号内の前記第1のタイプの自己干渉成分の位相と同じもしくはほぼ同じになるように、前記無線周波数受信信号に基づいて、前記無線周波数基準信号に対する遅延処理、振幅調整処理、および位相調整処理を実行するステップ、または
前記無線周波数基準信号の振幅が、前記無線周波数受信信号内の前記第1のタイプの自己干渉成分の振幅と同じもしくはほぼ同じになり、前記無線周波数基準信号の位相と前記無線周波数受信信号内の前記第1のタイプの自己干渉成分の位相との間の差が、180度もしくはほぼ180度になるように、前記無線周波数受信信号に基づいて、前記無線周波数基準信号に対する遅延処理、振幅調整処理、および位相調整処理を実行するステップ
を備える、請求項12から17のいずれか一項に記載の方法。
【発明の詳細な説明】
【技術分野】
【０００１】
本発明の実施形態は通信技術の分野に関し、詳細には、干渉除去の装置および方法に関する。
【背景技術】
【０００２】
モバイルセルラー通信システム、ワイヤレスローカルエリアネットワーク（WLAN、Wireless Local Area Network）、または固定ワイヤレスアクセス（FWA、Fixed Wireless Access）システムなどのワイヤレス通信システムでは、基地局（BS、Base Station）またはアクセスポイント（AP、Access Point）、中継局（RS、Relay Station）、およびユーザ機器（UE、User Equipment）などの通信ノードは、一般に、それら自体の信号を送信すること、および他の通信ノードから信号を受信することが可能である。無線信号は、ローカルエンドの送信信号と比較して、無線チャネル内で大きく減衰されるので、通信ピアから来る信号は、信号が受信側に到達したとき非常に弱くなる。たとえば、モバイルセルラー通信システム内の通信ノードの送信電力と受信電力との間の差は、最大80dB〜140dB、またはさらに大きい場合がある。したがって、送信機の送信信号によって送信機の受信信号に引き起こされる自己干渉を回避するために、無線信号の送信および受信は、一般に、異なる周波数帯域または異なる時間期間を使用することによって区別される。たとえば、周波数分割複信（FDD、Frequency Division Duplex）システムでは、送信と受信のために、ある特定の保護帯域によって分離された異なる周波数帯域を使用することによって通信が実行され、時分割複信（TDD、Time Division Duplex）システムでは、送信と受信のために、ある特定の保護時間間隔によって分離された異なる時間期間を使用することによって通信が実行され、TDDシステムにおける保護帯域およびFDDシステムにおける保護時間間隔は、両方とも、受信と送信が完全に分離されることを保証し、送信によって受信に引き起こされる干渉を回避するために使用される。
【０００３】
従来のFDDまたはTDDの技術と異なり、ワイヤレス全二重技術は、同じ無線チャネル上で同時に受信と送信の動作を実施することができる。このようにして、ワイヤレス全二重技術のスペクトル効率は、FDDまたはTDDの技術のスペクトル効率の2倍である。明らかに、ワイヤレス全二重を実装するための前提条件は、送信機の送信信号によって送信機の受信信号に引き起こされる（自己干渉、Self−interferenceと呼ばれる）強い干渉が、可能な限り回避、低減、または除去され、その結果、必要な信号の適切な受信に対して悪影響がもたらされないことにある。
【０００４】
全二重システムでは、受信機に入る自己干渉は、2つのタイプの自己干渉成分を含む。
【０００５】
第1のタイプの自己干渉成分は、メインパス自己干渉成分であり、その電力は比較的高い。メインパス自己干渉成分は、循環器の漏洩に起因して送信側から受信側に漏洩される自己干渉信号、およびアンテナのエコー反射に起因して受信側に入る自己干渉信号を主に含む。従来のパッシブ無線周波数自己干渉除去は、主に、第1のタイプの自己干渉成分を除去するために使用される。このタイプの成分の経路遅延、電力、および位相は、中間無線周波数ユニットならびに特定の送信機のアンテナおよびフィーダなどのハードウェア自体に依存する。経路遅延、電力、および位相は、基本的に固定されているか、またはゆっくりと変化し、第1のタイプの自己干渉成分の各干渉経路に対して高速追跡を実行する必要がない。
【０００６】
第2のタイプの自己干渉成分は、主に、送信信号が送信アンテナによって送信され、空間伝搬プロセスにおいて散乱体または反射面などでマルチパス反射に遭遇する自己干渉成分である。セルラーシステム内の基地局および中継局、ならびに屋外に配置されたWiFiアクセスポイント（AP）などのシナリオに全二重技術が適用されると、デバイスのアンテナは一般に比較的高く取り付けられ、デバイスのまわりの数メートルから数十メートルの範囲内の散乱体または反射面が少ししかないので、デバイスによって受信された信号内で空間伝搬を受けるマルチパス反射された自己干渉成分のマルチパス遅延は、比較的大きくかつ広く分散され、対応するマルチパス信号（遠く離れた散乱体または反射面などから反射される信号）の電力は、減少する傾向がある。
【０００７】
従来技術では、図1に示された構造を有する装置は、アクティブなアナログ自己干渉除去およびデジタルベースバンド自己干渉除去の方式で、第2のタイプの自己干渉成分を除去するために使用される。具体的には、デジタル領域内で復元されるベースバンドデジタル自己干渉信号は、デジタルアナログ変換器（Digital to Analog Converter、DAC）を使用することによってアナログ領域に再変換され、次いで、アナログ領域内で（図には示されていない）アナログベースバンド処理を受けるか、または中間無線周波数にアップコンバートされ、アナログ受信信号に含まれる自己干渉信号を除去するために使用され、デジタル領域内のデジタルベースバンド自己干渉除去は、復元ベースバンドデジタル自己干渉信号を使用して、デジタル領域内のデジタル受信信号に含まれる自己干渉信号を直接除去することである。しかしながら、装置の自己干渉除去の実行は、最終的に、ADC（Analog−to−Digital Converter、アナログデジタル変換器）／DAC（Digital−to−Analog Converter、デジタルアナログ変換器）のダイナミックレンジによって制限される。一般に、ADC／DACのダイナミックレンジは約60dBである。したがって、第2のタイプの自己干渉成分の電力が必要な信号の電力よりも60dB高いとき、第2のタイプの自己干渉成分は、従来の方法では効果的に除去することができない。
【発明の概要】
【課題を解決するための手段】
【０００８】
本発明の実施形態は、ADC／DACのダイナミックレンジによって制限されることを回避することができ、第2のタイプの自己干渉成分を効果的に除去することができる、干渉除去
の装置および方法を提供する。
【０００９】
第1の態様によれば、
無線周波数受信信号を受信し、第1のタイプの干渉除去器（130）に無線周波数受信信号を送信するように構成された、メイン受信アンテナ（110）と、
送信信号に従って生成された無線周波数基準信号を取得し、第1のタイプの干渉除去器（130）および第2のタイプの干渉復元器（150）に無線周波数基準信号を送信するように構成された、分波器（120）と、
分波器（120）によって送信された無線周波数基準信号およびメイン受信アンテナ（110）によって送信された無線周波数受信信号を受信し、無線周波数基準信号に従って無線周波数受信信号内の第1のタイプの自己干渉成分を除去して、第1の処理信号を取得するように構成された、第1のタイプの干渉除去器（130）であって、第1のタイプの自己干渉成分がメインパス自己干渉成分を含む、第1のタイプの干渉除去器（130）と、
自己干渉チャネルパラメータおよび分波器（120）によって送信された無線周波数基準信号に従って復元自己干渉信号を取得するように構成された、第2のタイプの干渉復元器（150）と、
第1の処理信号および第2のタイプの干渉復元器（150）によって送信された復元自己干渉信号を受信し、復元自己干渉信号に従って第1の処理信号内の第2のタイプの自己干渉成分を除去して、第2の処理信号を生成するように構成された、カプラ（140）と、
第2の処理信号に対してダウンコンバージョン処理を実行して第3の処理信号を生成するように構成された、ダウンコンバータ（160）と、
第3の処理信号に対してアナログデジタル変換を実行してデジタル信号を生成するように構成された、アナログデジタル変換器ADC（170）と
を含む、干渉除去装置が提供され、
第2のタイプの干渉復元器（150）は、デジタルベースバンド基準信号を取得し、アナログデジタル変換器ADC（170）によって生成されたデジタル信号および分波器（120）によって送信された無線周波数基準信号を受信し、デジタルベースバンド基準信号およびデジタル信号に従って自己干渉チャネル推定を実行して、自己干渉チャネルパラメータを取得するように、さらに構成される。
【００１０】
第1の態様を参照して、第1の可能な実装方式では、第2のタイプの干渉復元器（150）は、
デジタルベースバンド基準信号を取得し、アナログデジタル変換器ADC（170）によって生成されたデジタル信号を受信し、デジタルベースバンド基準信号およびデジタル信号に従って自己干渉チャネル推定を実行して、自己干渉チャネルパラメータを取得するように構成された、自己干渉推定モジュール（1501）と、
分波器（120）によって送信された無線周波数基準信号および自己干渉推定モジュール（1501）によって取得された自己干渉チャネルパラメータを受信し、自己干渉チャネルパラメータおよび無線周波数基準信号に従って復元自己干渉信号を取得するように構成された、自己干渉信号復元モジュール（1502）と
を含む。
【００１１】
第1の態様を参照して、第2の可能な実装方式では、装置は第1の増幅器をさらに含み、第1の増幅器は第2の処理信号を増幅するように構成される。
【００１２】
第1の態様を参照して、第3の可能な実装方式では、装置は、第2の増幅器と、第3の増幅器とをさらに含み、
第2の増幅器は、第1の処理信号を増幅するように構成され、
第3の増幅器は、第2のタイプの干渉復元器によって受信された無線周波数基準信号を増幅するように構成される。
【００１３】
第1の態様の第1の可能な実装方式を参照して、第4の可能な実装方式では、自己干渉信号復元モジュール（1502）は、
第1の遅延器グループと、第1の振幅および位相調整器グループと、第1のコンバイナと
を含み、
第1の遅延器グループは少なくとも1つの遅延器を含み、少なくとも1つの遅延器は直列に接続され、第1の遅延器グループは、無線周波数基準信号を受信し、順次少なくとも1つの遅延器を使用することによって無線周波数基準信号に対して遅延処理を実行して、少なくとも1つの無線周波数基準信号の遅延信号を形成するように構成され、
第1の振幅および位相調整器グループは、少なくとも1つの振幅および位相調整器を含み、各振幅および位相調整器は、自己干渉チャネルパラメータに従って1つの無線周波数基準信号の遅延信号に対して振幅および位相の調整を実行するように構成され、
第1のコンバイナは、無線周波数基準信号の遅延信号であり、振幅および位相の調整後に取得された遅延信号に対して合成処理を実行して、復元自己干渉信号を生成するように構成される。
【００１４】
第1の態様の第4の可能な実装方式を参照して、第5の可能な実装方式では、自己干渉信号復元モジュール（1502）は、
少なくとも1つの無線周波数基準信号の遅延信号を受信し、すべての無線周波数基準信号の遅延信号から、自己干渉チャネルパラメータに従って少なくとも1つの無線周波数基準信号の遅延信号を選択し、少なくとも1つの無線周波数基準信号の選択された遅延信号を第1の振幅および位相調整器グループに送信するように構成された、第1の無線周波数選択スイッチ
をさらに含む。
【００１５】
第1の態様の第1の可能な実装方式を参照して、第6の可能な実装方式では、自己干渉信号復元モジュール（1502）は、
第2の遅延器グループと、第2の振幅および位相調整器グループと、第2のコンバイナと
を含み、
第2の遅延器グループは、少なくとも1つの循環器および少なくとも1つの遅延器を含み、少なくとも1つの循環器は、第1のポートおよび第3のポートを使用することによって直列に接続され、遅延器の一端は循環器の第2のポートに接続され、第1の遅延器グループは、無線周波数基準信号を受信し、順次少なくとも1つの遅延器を使用することによって無線周波数基準信号に対して遅延処理を実行して、少なくとも1つの無線周波数基準信号の遅延信号を形成するように構成され、
第2の振幅および位相調整器グループは、少なくとも1つの振幅および位相調整器を含み、各振幅および位相調整器は、自己干渉チャネルパラメータに従って1つの無線周波数基準信号の遅延信号に対して振幅および位相の調整を実行するように構成され、
第2のコンバイナは、無線周波数基準信号の遅延信号であり、振幅および位相の調整後に取得された遅延信号に対して合成処理を実行して、復元自己干渉信号を生成するように構成される。
【００１６】
第1の態様の第6の可能な実装方式を参照して、第7の可能な実装方式では、自己干渉信号復元モジュール（1502）は、
少なくとも1つの無線周波数基準信号の遅延信号を受信し、すべての無線周波数基準信号の遅延信号から、自己干渉チャネルパラメータに従って少なくとも1つの無線周波数基準信号の遅延信号を選択し、少なくとも1つの無線周波数基準信号の選択された遅延信号を第2の振幅および位相調整器グループに送信するように構成された、第2の無線周波数選択スイッチ
をさらに含む。
【００１７】
第1の態様の第4から第7の可能な実装方式のうちのいずれか1つを参照して、第8の可能な実装方式では、振幅および位相調整器は、減衰器と、移相器とを含み、
減衰器は、自己干渉チャネルパラメータに従って、無線周波数基準信号の遅延信号であり、無線周波数選択スイッチによって送信された受信遅延信号に対して振幅調整処理を実行するように構成され、
移相器は、自己干渉チャネルパラメータに従って、無線周波数基準信号の遅延信号であり、減衰器によって実行された振幅調整処理の後に取得された遅延信号に対して移相処理を実行するように構成される。
【００１８】
第1の態様または第1の態様の第1から第8の可能な実装方式のうちのいずれか1つを参照して、第9の可能な実装方式では、第1のタイプの干渉除去器（130）は、具体的に、無線周波数基準信号の振幅が、無線周波数受信信号内の第1のタイプの自己干渉成分の振幅と反対もしくはほぼ反対の方向になり、無線周波数基準信号の位相が、無線周波数受信信号内の第1のタイプの自己干渉成分の位相と同じもしくはほぼ同じになるように、無線周波数受信信号に基づいて、無線周波数基準信号に対する遅延処理、振幅調整処理、および位相調整処理を実行すること、または
無線周波数基準信号の振幅が、無線周波数受信信号内の第1のタイプの自己干渉成分の振幅と同じもしくはほぼ同じになり、無線周波数基準信号の位相と無線周波数受信信号内の第1のタイプの自己干渉成分の位相との間の差が、180度もしくはほぼ180度になるように、無線周波数受信信号に基づいて、無線周波数基準信号に対する遅延処理、振幅調整処理、および位相調整処理を実行すること
を行うように構成される。
【００１９】
第1の態様または第1の態様の第1から第9の可能な実装方式のうちのいずれか1つを参照して、第10の可能な実装方式では、送信信号は、間隔をおいて配置された自己干渉チャネル推定タイムスロットおよびデータ送信タイムスロットを含む。
【００２０】
第2の態様によれば、
送信信号に従って生成された無線周波数基準信号を取得することと、
メイン受信アンテナを使用することによって無線周波数受信信号を受信することと、
無線周波数基準信号に従って無線周波数受信信号内の第1のタイプの自己干渉成分を除去して、第1の処理信号を生成することであって、第1のタイプの自己干渉成分がメインパス自己干渉成分を含む、生成することと、
自己干渉チャネルパラメータおよび無線周波数基準信号に従って復元自己干渉信号を取得することと、
復元自己干渉信号に従って第1の処理信号内の第2のタイプの自己干渉成分を除去して、第2の処理信号を生成することと、
第2の処理信号に対してダウンコンバージョン処理を実行して第3の処理信号を生成することと、
第3の処理信号に対してアナログデジタル変換を実行してデジタル信号を生成することと、
デジタルベースバンド基準信号を取得し、デジタルベースバンド基準信号およびデジタル信号に従って自己干渉チャネル推定を実行して、自己干渉チャネルパラメータを取得することと
を含む、干渉除去方法が提供される。
【００２１】
第2の態様を参照して、第1の可能な実装方式では、方法は、第2の処理信号を増幅することをさらに含む。
【００２２】
第2の態様を参照して、第2の可能な実装方式では、方法は、
第1の処理信号を増幅すること
をさらに含み、
自己干渉チャネルパラメータおよび無線周波数基準信号に従って復元自己干渉信号を取得することの前に、方法は、無線周波数基準信号を増幅することを含む。
【００２３】
第2の態様を参照して、第3の可能な実装方式では、自己干渉チャネルパラメータおよび無線周波数基準信号に従って復元自己干渉信号を取得することは、
少なくとも1回無線周波数基準信号に対して遅延処理を実行して、少なくとも1つの無線周波数基準信号の遅延信号を形成することと、
自己干渉チャネルパラメータに従って、各無線周波数基準信号の遅延信号に対して振幅および位相の調整を実行することと、
無線周波数基準信号の遅延信号であり、振幅および位相の調整後に取得された遅延信号に対して合成処理を実行して、復元自己干渉信号を生成することと
を含む。
【００２４】
第3の可能な実装方式を参照して、第4の可能な実装方式では、自己干渉チャネルパラメータに従って、各無線周波数基準信号の遅延信号に対して振幅および位相の調整を実行することの前に、方法は、
すべての無線周波数基準信号の遅延信号から、自己干渉チャネルパラメータに従って少なくとも1つの無線周波数基準信号の遅延信号を選択すること
をさらに含み、
自己干渉チャネルパラメータに従って、各無線周波数基準信号の遅延信号に対して振幅および位相の調整を実行することは、具体的に、少なくとも1つの無線周波数基準信号の選択された遅延信号内の各無線周波数基準信号の遅延信号に対して振幅および位相の調整を実行することである。
【００２５】
第3の可能な実装方式を参照して、第5の可能な実装方式では、自己干渉チャネルパラメータに従って、各無線周波数基準信号の遅延信号に対して振幅および位相の調整を実行することは、
自己干渉チャネルパラメータに従って、無線周波数基準信号の遅延信号に対して振幅調整処理を実行することと、
自己干渉チャネルパラメータに従って、無線周波数基準信号の遅延信号であり、振幅調整処理が実行された後に取得された遅延信号に対して移相処理を実行することと
を含む。
【００２６】
第2の態様または第2の態様のいずれか1つの可能な実装方式を参照して、第6の可能な実装方式では、無線周波数基準信号に従って無線周波数受信信号内の第1のタイプの自己干渉成分を除去することは、
無線周波数基準信号の振幅が、無線周波数受信信号内の第1のタイプの自己干渉成分の振幅と反対もしくはほぼ反対の方向になり、無線周波数基準信号の位相が、無線周波数受信信号内の第1のタイプの自己干渉成分の位相と同じもしくはほぼ同じになるように、無線周波数受信信号に基づいて、無線周波数基準信号に対する遅延処理、振幅調整処理、および位相調整処理を実行すること、または
無線周波数基準信号の振幅が、無線周波数受信信号内の第1のタイプの自己干渉成分の振幅と同じもしくはほぼ同じになり、無線周波数基準信号の位相と無線周波数受信信号内の第1のタイプの自己干渉成分の位相との間の差が、180度もしくはほぼ180度になるように、無線周波数受信信号に基づいて、無線周波数基準信号に対する遅延処理、振幅調整処理、および位相調整処理を実行すること
を含む。
【００２７】
第2の態様または第2の態様のいずれか1つの可能な実装方式を参照して、第7の可能な実装方式では、送信信号は、間隔をおいて配置された自己干渉チャネル推定タイムスロットおよびデータ送信タイムスロットを含む。
【００２８】
本発明の実施形態による干渉除去の装置および方法では、メイン受信アンテナによって取得された無線周波数受信信号に対して、無線周波数受信信号内の第1のタイプの自己干渉成分を除去し、第1の処理信号を取得するために、無線周波数基準信号に従って干渉除去処理が実行され、さらに、第1の処理信号内の第2のタイプの自己干渉成分を除去するために、自己干渉チャネル推定を介して復元自己干渉信号が取得される。第2のタイプの自己干渉成分を除去するために、アナログ領域内で復元自己干渉信号が直接使用されるので、ADC／DACのダイナミックレンジによる制限を回避することができ、第2のタイプの自己干渉成分を効果的に除去することができる。
【００２９】
本発明の実施形態における技術的解決策をより明確に記載するために、以下で、実施形態または従来技術を記載するために必要な添付図面を簡単に紹介する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００３０】
【図１】従来技術による、干渉除去装置の概略構造図である。
【図２】本発明の一実施形態による、干渉除去装置の概略構造図である。
【図３】本発明の一実施形態による、第1のタイプの干渉除去器の概略構造図である。
【図４】本発明の一実施形態による、第2のタイプの干渉復元器の概略構造図である。
【図５】本発明の一実施形態による、自己干渉信号復元モジュールの概略構造図である。
【図６】本発明の別の実施形態による、自己干渉信号復元モジュールの概略構造図である。
【図７】本発明のさらに別の実施形態による、自己干渉信号復元モジュールの概略構造図である。
【図８】本発明のまた別の実施形態による、自己干渉信号復元モジュールの概略構造図である。
【図９】本発明の一実施形態による、振幅および位相調整器の概略構造図である。
【図１０】本発明の別の実施形態による、干渉除去装置の概略構造図である。
【図１１】本発明のさらに別の実施形態による、干渉除去装置の概略構造図である。
【図１２】本発明の一実施形態による、干渉除去方法の概略フローチャートである。
【発明を実施するための形態】
【００３１】
添付の図面を参照して複数の実施形態が本明細書に記載され、本明細書内の同じ部品は同じ参照番号によって示される。以下の記載では、説明を容易にするために、多くの具体的な詳細が1つまたは複数の実施形態の包括的な理解を容易にするために提供される。しかしながら、明らかに、実施形態は、これらの具体的な詳細を使用することによって実装されない場合もある。他の例では、1つまたは複数の実施形態を都合よく記載するために、周知の構造およびデバイスはブロック図の形態で示される。
【００３２】
本明細書において使用される「部品」、「モジュール」、および「システム」などの述語は、コンピュータ関連エンティティ、ハードウェア、ファームウェア、ハードウェアとソフトウェアの組合せ、ソフトウェア、または実行されているソフトウェアを示すために使用される。たとえば、部品は、限定はしないが、プロセッサ上で動作するプロセス、プロセッサ、オブジェクト、実行可能ファイル、実行スレッド、プログラム、および／またはコンピュータであり得る。図に示されたように、コンピューティングデバイスとコンピ
ューティングデバイス上で動作するアプリケーションの両方は、部品であり得る。1つまたは複数の部品は、プロセスおよび／もしくは実行スレッドの中に存在する場合があり、1つの部品は、1つのコンピュータに位置し、かつ／または2つ以上のコンピュータの間に分散される場合がある。加えて、これらの部品は、様々なデータ構造を記憶する様々なコンピュータ可読媒体から実行される場合がある。たとえば、部品は、ローカルおよび／またはリモートのプロセスを使用することにより、かつ、たとえば、1つまたは複数のデータパケット（たとえば、ローカルシステム、分散システムにおいて、および／または、信号を使用することによって他のシステムと対話するインターネットなどのネットワークを介して、別の部品と対話する2つの部品からのデータ）を有する信号に従って、通信する場合がある。
【００３３】
本発明の実施形態による干渉除去装置は、ワイヤレス全二重技術を使用するアクセス端末内に配置される場合がある。アクセス端末は、システム、加入者ユニット、加入者局、移動局、リモート局、リモート端末、モバイルデバイス、ユーザ端末、端末、ワイヤレス通信デバイス、ユーザエージェント、ユーザ装置、またはユーザ機器（UE、User Equipment）と呼ばれる場合もある。アクセス端末は、携帯電話、コードレス電話、SIP（Session Initiation Protocol、セッションインターネットプロトコル）電話、WLL（Wireless Local Loop、ワイヤレスローカルループ）局、PDA（Personal Digital Assistant、携帯情報端末）、ワイヤレス通信機能を有するハンドヘルドデバイス、車載デバイス、ウェアラブルデバイス、コンピューティングデバイス、またはワイヤレスモデムに接続された別の処理デバイスであり得る。
【００３４】
本発明の実施形態による干渉除去装置は、ワイヤレス全二重技術を使用する基地局内に配置される場合もある。基地局は、モバイルデバイスと通信するように構成される場合がある。基地局は、WiFiシステムのAP（Access Point、ワイヤレスアクセスポイント）、または、 GSM(登録商標)（Global System of Mobile communication、モバイル通信用グローバルシステム）システムもしくはCDMA（Code Division Multiple Access、符号分割多元接続システム）内のBTS（Base Transceiver Station、トランシーバ基地局）であり得るか、あるいは、WCDMA(登録商標)（Wideband Code Division Multiple Access、広帯域符号分割多元接続）システム内のNB（NodeB、ノードB）であり得るか、あるいは、LTE（Long Term Evolution、ロングタームエボリューション）システム内のeNBまたはeノードB（Evolved Node B、発展型ノードB）、あるいは、中継局またはアクセスポイント、あるいは、将来の5Gネットワークにおける基地局デバイスなどであり得る。
【００３５】
加えて、本発明の態様または特徴は、標準的なプログラミングおよび／またはエンジニアリングの技術を使用する装置または製品として実装される場合がある。本出願において使用される「製品」という用語は、任意のコンピュータ可読の部品、搬送波、または媒体からアクセスされ得るコンピュータプログラムを包含する。たとえば、コンピュータ可読媒体には、限定はしないが、磁気記憶部品（たとえば、ハードディスク、フロッピーディスク、または磁気テープ）、光ディスク（たとえば、CD（Compact Disk、コンパクトディスク）、DVD（Digital Versatile Disk、デジタル多用途ディスク）、スマートカード、およびフラッシュメモリ部品（たとえば、EPROM（Erasable Programmable Read−Only Memory、消去可能プログラマブル読取り専用メモリ）、カード、スティック、またはキードライブ）が含まれ得る。加えて、本明細書に記載される様々な記憶媒体は、情報を記憶するために使用される1つもしくは複数のデバイスおよび／または他の機械可読媒体を示す場合がある。「機械可読媒体」という用語は、限定はしないが、無線チャネル、ならびに、命令および／またはデータを記憶、含有、および／または搬送することができる様々な他の媒体を含む場合がある。
【００３６】
本発明の実施形態では、干渉除去は、（第1のタイプの自己干渉成分および第2のタイプ
の自己干渉成分を含む）信号内のすべての干渉成分を除去することであり得るか、または、（第1のタイプの自己干渉成分の一部および第2のタイプの自己干渉成分の一部を含む）信号内の一部の干渉成分を除去することであり得ることに留意されたい。
【００３７】
図2は、本発明の一実施形態による、干渉除去装置の概略構造図である。図2に示されたように、本実施形態によって提供される装置100は、
メイン受信アンテナ110と、分波器120と、第1のタイプの干渉除去器130と、カプラ140と、第2のタイプの干渉復元器150と、ダウンコンバータ160と、ADC170と、分波器180とを含み、メイン受信アンテナ110の出力端は、第1のタイプの干渉除去器130の第1の入力端131に接続され、分波器120の入力端121は、送信信号に従って生成された無線周波数基準信号を取得するように構成され、分波器120の第1の出力端122は、第1のタイプの干渉除去器130の第2の入力端132に接続され、第1のタイプの干渉除去器130の出力端133は、カプラ140の第1の入力端141に接続され、分波器120の第2の出力端123は、第2のタイプの干渉復元器150の第1の入力端151に接続され、カプラ140の第2の入力端142は、第2のタイプの干渉復元器150の出力端153に接続され、第2のタイプの干渉復元器150の第3の入力端154は、デジタルベースバンド基準信号を入力し、カプラ140の出力端143は、ダウンコンバータ160の入力端161に接続され、ダウンコンバータの出力端162は、ADC170の入力端171に接続され、ADCの出力端172は、分波器180の第1の入力端181に接続され、分波器180の第1の出力端182は、デジタル信号を出力し、分波器180の第2の出力端183は、第2のタイプの干渉復元器150の第2の入力端152に接続される。
【００３８】
図2に示された実施形態内の部品の機能は、以下のように記載される。
【００３９】
メイン受信アンテナ110は、無線周波数受信信号を受信し、第1のタイプの干渉除去器130に無線周波数受信信号を送信するように構成される。
【００４０】
分波器120は、送信信号に従って生成された無線周波数基準信号を取得し、第1のタイプの干渉除去器130および第2のタイプの干渉復元器150に無線周波数基準信号を送信するように構成される。
【００４１】
第1のタイプの干渉除去器130は、分波器120によって送信された無線周波数基準信号およびメイン受信アンテナ110によって送信された無線周波数受信信号を受信し、無線周波数基準信号に従って無線周波数受信信号内の第1のタイプの自己干渉成分を除去して、第1の処理信号を取得するように構成され、第1のタイプの自己干渉成分は、メインパス自己干渉成分を含む。
【００４２】
第2のタイプの干渉復元器150は、自己干渉チャネルパラメータおよび分波器120によって送信された無線周波数基準信号に従って復元自己干渉信号を取得するように構成される。
【００４３】
カプラ140は、第1の処理信号および第2のタイプの干渉復元器150によって送信された復元自己干渉信号を受信し、復元自己干渉信号に従って第1の処理信号内の第2のタイプの自己干渉成分を除去して、第2の処理信号を生成するように構成される。
【００４４】
ダウンコンバータ160は、第2の処理信号に対してダウンコンバージョン処理を実行して第3の処理信号を生成するように構成される。
【００４５】
アナログデジタル変換器ADC170は、第3の処理信号に対してアナログデジタル変換を実行してデジタル信号を生成するように構成される。
【００４６】
第2のタイプの干渉復元器150は、デジタルベースバンド基準信号を取得し、アナログデジタル変換器ADC170によって生成されたデジタル信号および分波器120によって送信された無線周波数基準信号を受信し、デジタルベースバンド基準信号およびデジタル信号に従って自己干渉チャネル推定を実行して、自己干渉チャネルパラメータを取得するように、さらに構成される。
【００４７】
図2は、分波器180が、第3の処理信号から変換されたデジタル信号を、個別に、出力信号として、かつ第2のタイプの干渉復元器150の入力信号として使用するように構成されることをさらに示す。
【００４８】
図2に示された実施形態内の部品の接続関係、構造、および機能は、以下のように詳細に記載される。
【００４９】
（1）メイン受信アンテナ110
メイン受信アンテナ110は、無線信号を受信し、受信された無線信号を無線周波数受信信号として第1のタイプの干渉除去器130の第1の入力端131に入力するように構成され、ここで、メイン受信アンテナ110によって無線信号を受信するプロセスは、従来技術においてアンテナによって無線信号を受信するプロセスと同様であり得るし、繰り返しを避けるために、本明細書においてこれ以上記載されない。
【００５０】
（2）分波器120
具体的には、本発明の実施形態では、たとえば、カプラまたは電力分配器が分波器120として使用される場合がある。
【００５１】
加えて、無線周波数基準信号は、送信機からの送信信号に従って取得され、ベースバンド処理後の送信信号は、たとえば、無線周波数基準信号、および分波器の入力端121を介する分波器120への入力として使用される場合がある。
【００５２】
したがって、分波器120は、無線周波数基準信号を2つの信号に分割することができる。1つの信号は、分波器120の第1の出力端122を介して第1のタイプの干渉除去器130の第2の入力端132に送信され、第1のタイプの干渉除去器130によって受信される。他の信号は、分波器120の第2の出力端123を介して第2のタイプの干渉復元器150の第1の入力端151に送信され、第2のタイプの干渉復元器150によって受信される。
【００５３】
分波器120から出力される2つの信号の波形が、無線周波数基準信号の波形と一致することができる方式で、カプラまたは電力分配器が分波器120として使用され、このことは、無線周波数基準信号に基づく後続の干渉除去に効果的である。
【００５４】
分波器120として使用される上記に示されたカプラおよび電力分配器は例示的な説明のみを意図しており、本発明がそれに限定されないことを理解されたい。基準信号の波形と送信信号の波形との間の類似度がプリセット範囲に入るようにすることができるすべての他の装置は、本発明の保護範囲内に入るべきである。
【００５５】
本発明の実施形態では、無線周波数基準信号が分割された2つの信号の電力は、同じ場合も異なる場合もあり、それは本発明によって特に限定されないことに留意されたい。
【００５６】
加えて、本発明の実施形態では、ベースバンド処理後に送信信号を送信する処理は、従来技術における処理と同様であり得る。本明細書では、繰り返しを避けるために、そのプロセスの説明は省略される。
【００５７】
（3）第1のタイプの干渉除去器130
具体的には、図3に示されたように、本発明の実施形態では、第1のタイプの干渉除去器130は、分波器aと、コンバイナaと、コンバイナbとを含む場合があり、ここで、直列に接続された遅延器、位相調整器、および振幅調整器のうちの少なくとも1つによって構成される少なくとも1つの送信経路は、分波器aとコンバイナaとの間に含まれ、ここで、コンバイナaの出力端は、コンバイナbの入力端に接続される。本発明の実施形態では、第1のタイプの干渉除去器130は2つの入力端を有する。分波器aは電力分配器であり得るし、コンバイナaおよびコンバイナbはカプラであり得る。
【００５８】
第1のタイプの干渉除去器130の第1の入力端131（すなわち、コンバイナbの入力ポート）は、メイン受信アンテナ110の出力端に接続され、メイン受信アンテナ110の出力端から信号（すなわち、無線周波数受信信号）を受信するように構成され、第1のタイプの干渉除去器130の第2の入力端132（すなわち、分波器aの入力ポート）は、分波器120の第1の出力端122に接続され、分波器120から1つの無線周波数基準信号を受信するように構成される。
【００５９】
場合によっては、第1のタイプの干渉除去器130は、具体的に、無線周波数基準信号の振幅が、無線周波数受信信号内の第1のタイプの自己干渉成分の振幅と反対もしくはほぼ反対の方向になり、無線周波数基準信号の位相が、無線周波数受信信号内の第1のタイプの自己干渉成分の位相と同じもしくはほぼ同じになるように、無線周波数受信信号に基づいて、無線周波数基準信号に対する遅延処理、振幅調整処理、および位相調整処理を実行すること、または
無線周波数基準信号の振幅が、無線周波数受信信号内の第1のタイプの自己干渉成分の振幅と同じもしくはほぼ同じになり、基準信号の位相と無線周波数受信信号内の第1のタイプの自己干渉成分の位相との間の差が、180度もしくはほぼ180度になるように、無線周波数受信信号に基づいて、無線周波数基準信号に対する遅延処理、振幅調整処理、および位相調整処理を実行すること、ならびに
遅延処理、振幅調整処理、および位相調整処理の後に取得された無線周波数基準信号を無線周波数受信信号と合成すること
を行うように構成される。
【００６０】
具体的には、第1のタイプの干渉除去器130の第2の入力端132は、分波器120の第1の出力端122に接続され、分波器120の第1の出力端122から出力された信号（すなわち、無線周波数基準信号）は、第1のタイプの干渉除去器130の第2の入力端132を介して分波器aに入力され、ここで、分波器aは電力分配器であり得る。分波器aは、無線周波数基準信号をいくつかの無線周波数基準信号に分割する（いくつかの無線周波数基準信号の電力は、同じ場合も異なる場合もある）。いくつかの無線周波数基準信号のうちの1つを説明用の例として使用すると、分波器aの出力端は、直列に接続された遅延器、位相調整器、および振幅調整器によって構成される調整回路に1つの無線周波数基準信号を出力し、ここで、調整回路は、遅延、減衰、移相などによって信号の遅延、振幅、および位相を調整するように構成される。たとえば、減衰を介して、無線周波数基準信号の振幅は、無線周波数受信信号内の（メインパス自己干渉成分を含む）第1のタイプの自己干渉成分の振幅に達する場合がある。確かに、最良の効果は、振幅が同じであることである。しかしながら、実際の用途では誤差が存在するので、振幅はほぼ同じであるように調整される場合がある。加えて、遅延を介して、かつ／または移相を介して、無線周波数基準信号の位相と無線周波数受信信号（具体的には、無線周波数受信信号内の第1のタイプの自己干渉成分）の位相との間の差は、180度またはほぼ180度になるように調整される場合がある。
【００６１】
代替として、減衰を介して、無線周波数基準信号の振幅は、無線周波数受信信号内の第1のタイプの自己干渉成分の振幅と反対の方向になる場合がある。確かに、最良の効果は
、振幅の方向が反対であることである。しかしながら、実際の用途では誤差が存在するので、振幅はほぼ反対になるように調整される場合がある。加えて、遅延を介して、かつ／または移相を介して、無線周波数基準信号の位相は、無線周波数受信信号（具体的には、無線周波数受信信号内の第1のタイプの自己干渉成分）の位相と同じまたはほぼ同じであるように調整される場合がある。
【００６２】
上記は、分波器によって出力される1つの無線周波数基準信号を説明用の例として取り上げたにすぎない。確かに、分波器は、無線周波数基準信号を複数の信号に分割し、最終的に、それらの信号はコンバイナaによって合成され、遅延処理、振幅調整処理、および位相調整処理は、分波器によって出力される各支流に対して行われる機能でもあり得るし、最終的に、合成後、分波器の入力端で入力される無線周波数基準信号の遅延処理、振幅調整処理、および位相調整処理の目的が達成されるので、すなわち、分波器によって出力される各支流は、遅延器、位相調整器、および振幅調整器のうちの少なくとも1つを含む場合がある。
【００６３】
確かに、振幅調整は、減衰または利得として表現される場合があり、上記の実施形態では、説明用の例として減衰のみが使用されている。加えて、本発明の実施形態では、「ほぼ」は、2つの間の類似度がプリセット範囲内にあることを示し、ここで、プリセット範囲は、実際の使用および要件に従ってランダムに決定される場合があり、本発明によって特に限定さない。繰り返しを避けるために、別段に規定されていない限り、以下では、類似度の説明を省略する。
【００６４】
その後、分波器aによって出力されたすべての支流の無線周波数基準信号は、振幅および位相の調整の後にコンバイナaによって合成され、無線周波数受信信号は、コンバイナbの別の入力ポートに入力される。したがって、コンバイナbは、無線周波数受信信号を振幅および位相の調整ならびに合成（たとえば、無線周波数基準信号を無線周波数受信信号に加算する、または無線周波数受信信号から無線周波数基準信号を減算する）の後に取得された無線周波数基準信号と合成して、無線周波数受信信号内の第1のタイプの自己干渉成分を除去することができ、それにより、無線周波数受信信号に対する第1のタイプの自己干渉成分除去処理を実施する。
【００６５】
限定ではなく例示のために、本発明の実施形態では、振幅調整器は、たとえば、減衰器であり得る。位相調整器は、たとえば、移相器であり得る。遅延器は、たとえば、遅延線であり得る。
【００６６】
したがって、第1のタイプの干渉除去器130の出力端133（具体的には、コンバイナbの出力端）から出力される第1の処理信号は、無線周波数受信信号内の第1のタイプの自己干渉成分を除去することによって生成される。
【００６７】
本発明の実施形態では、遅延器、位相調整器、および振幅調整器は、コンバイナbの出力に基づいて、コンバイナbによって出力される第1の処理信号の強度を最小化する方式で調整される場合があることに留意されたい。加えて、本発明は上記の実装方式に限定されず、無線周波数基準信号に従って無線周波数受信信号の強度を低減することができる（または第1の処理信号の強度が無線周波数受信信号の強度よりも小さい）限り、干渉除去の効果を達成することができる。
【００６８】
（4）第2のタイプの干渉復元器150
具体的には、図4に示されたように、本発明の実施形態では、第2のタイプの干渉復元器150は、自己干渉推定モジュール1501と、自己干渉信号復元モジュール1502とを含む場合がある。
【００６９】
自己干渉推定モジュール1501は、デジタルベースバンド基準信号を取得し、アナログデジタル変換器ADC170によって生成されたデジタル信号を受信し、デジタルベースバンド基準信号およびデジタル信号に従って自己干渉チャネル推定を実行して、自己干渉チャネルパラメータを取得するように構成される。
【００７０】
場合によっては、自己干渉推定モジュール1501は、フィールドプログラマブルゲートアレイFPGA（Field−Programmable Gate Array）、中央処理装置CPU（Central Processing Unit）、および特定用途向け集積回路ASIC（Application Specific Integrated Circuit）のうちのいずれか1つを含む。デジタルベースバンド基準信号およびデジタル信号に従って自己干渉チャネル推定を実行するために、パイロットベースのチャネル推定方法、またはLMS（Least mean square、最小二乗平均）アルゴリズムもしくはRLS（Recursive least squares、再帰的最小二乗）アルゴリズムなどの適応フィルタリング方法を使用することができ、それらは従来技術に関係し、これ以上記載されない。
【００７１】
加えて、場合によっては、送信信号は、間隔をおいて配置された自己干渉チャネル推定タイムスロットおよびデータ送信タイムスロットを含む。データ送信タイムスロットでは、全二重データ通信を実行することができる。自己干渉チャネル推定タイムスロットでは、通信ピアはデータを送信せず、ローカル受信機によって受信された信号は、自己干渉信号のみを含む。通信ピアからの信号が存在しないので、ローカルエンドは、自己干渉チャネル推定を実行して自己干渉チャネルパラメータを取得するために、自己干渉チャネル推定タイムスロットを使用する。具体的には、自己干渉チャネル推定タイムスロットでは、無線周波数受信信号は、第2のタイプの自己干渉成分のみを含む。自己干渉チャネル推定タイムスロットでは、デジタルベースバンド基準信号を参照することにより、無線周波数受信信号を処理することによって取得されたデジタル信号に対して、自己干渉チャネル推定が実行される。したがって、自己干渉チャネル推定タイムスロットでは、通信ピアは信号を送信せず、受信機によって受信された信号は、自己干渉信号のみを含む。通信ピアからの信号が存在しないので、受信機は、自己干渉チャネル推定タイムスロット内で自己干渉チャネル推定を実行して自己干渉チャネルパラメータを取得することができ、ここで、自己干渉チャネルパラメータは、第2のタイプの自己干渉成分の送信経路遅延、位相、および振幅を示すパラメータを含む場合がある。データ送信タイムスロットでは、受信機によって受信された信号は、自己干渉信号およびデータ信号を含み、受信機は、無線周波数基準信号および自己干渉チャネルパラメータに従って、データ送信タイムスロット内で復元自己干渉信号を生成し、復元自己干渉信号を使用して第2のタイプの自己干渉成分を除去することがでる。
【００７２】
自己干渉信号復元モジュール1502は、分波器120によって送信された無線周波数基準信号および自己干渉推定モジュール1501によって取得された自己干渉チャネルパラメータを受信し、自己干渉チャネルパラメータおよび無線周波数基準信号に従って復元自己干渉信号を取得するように構成される。
【００７３】
さらに、図5を参照すると、自己干渉信号復元モジュール1502は、
第1の遅延器グループと、第1の振幅および位相調整器グループと、第1のコンバイナと
を含み、
第1の遅延器グループは少なくとも1つの遅延器を含み、少なくとも1つの遅延器は直列に接続され、第1の遅延器グループは、無線周波数基準信号を受信し、順次少なくとも1つの遅延器を使用することによって無線周波数基準信号に対して遅延処理を実行して、少なくとも1つの無線周波数基準信号の遅延信号を形成するように構成され、
第1の振幅および位相調整器グループは、少なくとも1つの振幅および位相調整器を含み、各振幅および位相調整器は、自己干渉チャネルパラメータに従って1つの無線周波数基
準信号の遅延信号に対して振幅および位相の調整を実行するように構成され、
第1のコンバイナは、無線周波数基準信号の遅延信号であり、振幅および位相の調整後に取得された遅延信号に対して合成処理を実行して、復元自己干渉信号を生成するように構成される。
【００７４】
加えて、図5を参照し、上記の説明と組み合わせて、第1の遅延器グループ内の遅延器はカプラによって接続されること、および各遅延において形成された無線周波数基準信号の遅延信号はカプラによって出力されることを理解することができる。すなわち、前の遅延器の出力端は、カプラの入力端に接続され、カプラの出力端は、第1の振幅および位相調整器グループ内の振幅および位相調整器に接続され、カプラの別の出力端は、次の遅延器の入力端に接続される（前および次は、第1の遅延器グループ内の無線周波数基準信号を転送する順序を明確に記載することを意図しているにすぎず、本発明の実装方式を限定することを意図していない）。第1の遅延器グループは、無線周波数基準信号をM回遅延させ、M個の無線周波数基準信号の遅延信号を形成するように構成された、M個の遅延器を含む場合がある。第1の遅延器グループに含まれるM個の遅延器によって形成され得る遅延タップの量はMである。
【００７５】
さらに、図6を参照すると、自己干渉信号復元モジュールは、
少なくとも1つの無線周波数基準信号の遅延信号を受信し、すべての無線周波数基準信号の遅延信号から、自己干渉チャネルパラメータに従って少なくとも1つの無線周波数基準信号の遅延信号を選択し、少なくとも1つの無線周波数基準信号の選択された遅延信号を第1の振幅および位相調整器グループに送信するように構成された、第1の無線周波数選択スイッチ
をさらに含む。
【００７６】
第1の無線周波数選択スイッチは、M×K個の無線周波数選択スイッチであり得る。すなわち、受信されたM個の無線周波数基準信号の遅延信号において、自己干渉チャネルパラメータおよび出力に従って、M個の無線周波数基準信号の遅延信号から、K個の無線周波数基準信号の遅延信号を選択することができる。
【００７７】
代替として、場合によっては、図7を参照すると、自己干渉信号復元モジュール1502は、
第2の遅延器グループと、第2の振幅および位相調整器グループと、第2のコンバイナと
を含み、
第2の遅延器グループは、少なくとも1つの循環器および少なくとも1つの遅延器を含み、少なくとも1つの循環器は、第1のポートおよび第3のポートを使用することによって直列に接続され、遅延器の一端は循環器の第2のポートに接続され、第1の遅延器グループは、無線周波数基準信号を受信し、順次少なくとも1つの遅延器を使用することによって無線周波数基準信号に対して遅延処理を実行して、少なくとも1つの無線周波数基準信号の遅延信号を形成するように構成され、
第2の振幅および位相調整器グループは、少なくとも1つの振幅および位相調整器を含み、各振幅および位相調整器は、自己干渉チャネルパラメータに従って1つの無線周波数基準信号の遅延信号に対して振幅および位相の調整を実行するように構成され、
第2のコンバイナは、無線周波数基準信号の遅延信号であり、振幅および位相の調整後に取得された遅延信号に対して合成処理を実行して、復元自己干渉信号を生成するように構成される。
【００７８】
加えて、図7を参照し、上記の説明と組み合わせて、第1の遅延器グループ内の循環器がカプラに接続されることを理解することができる。図7に示されたように、循環器は3つのポート1、2、および3を含む。第1のポート1は、1つの無線周波数基準信号を受信するよう
に構成される。循環器の第2のポート2は、第1のポート1によって受信された無線周波数基準信号を遅延器に送信するように構成される。遅延器は、無線周波数基準信号に対して遅延処理を実行し、次いで、それを第2のポート2に返信する。循環器は、遅延処理の後に取得された無線周波数基準信号を、第3のポート3を介して次の循環器に送信する。遅延線は遅延器として使用される場合がある。本明細書において、循環器は、遅延器によって形成された遅延信号を受信し、各遅延において形成された無線周波数基準信号の遅延信号を、カプラを介して送信する。すなわち、前の循環器の第3のポート3は、カプラの入力端に接続され、カプラの出力端は、第1の振幅および位相調整器グループ内の振幅および位相調整器に接続され、カプラの別の出力端は、次の循環器の第1のポート1に接続される（前および次は、第1の遅延器グループ内の無線周波数基準信号を転送する順序を明確に記載することを意図しているにすぎず、本発明の実装方式を限定することを意図していない）。第1の遅延器グループは、無線周波数基準信号をM回遅延させ、M個の無線周波数基準信号の遅延信号を形成するように構成された、M個の遅延器を含む場合がある。第1の遅延器グループに含まれるM個の遅延器によって形成され得る遅延タップの量はMである。図6に対応する実施形態と比較すると、遅延線が遅延器として使用されるとき、遅延線の単一の端部は、循環器の第2のポート2に接続され、すなわち、遅延信号は、遅延線内で無線周波数基準信号を前方に、次いで後方に送信することによって形成され、したがって、図6に対応する実施形態と比較して、半分の長さの遅延線を節約することができる。
【００７９】
さらに、図8を参照すると、自己干渉信号復元モジュールは、
少なくとも1つの無線周波数基準信号の遅延信号を受信し、すべての無線周波数基準信号の遅延信号から、自己干渉チャネルパラメータに従って少なくとも1つの無線周波数基準信号の遅延信号を選択し、少なくとも1つの無線周波数基準信号の選択された遅延信号を第2の振幅および位相調整器グループに送信するように構成された、第2の無線周波数選択スイッチ
をさらに含む。
【００８０】
第1の無線周波数選択スイッチは、M×K個の無線周波数選択スイッチであり得る。すなわち、受信されたM個の無線周波数基準信号の遅延信号において、自己干渉チャネルパラメータおよび出力に従って、M個の無線周波数基準信号の遅延信号から、K個の無線周波数基準信号の遅延信号を選択することができる。
【００８１】
さらに、振幅および位相調整器は、以下の方式で実装される場合がある。
【００８２】
図9を参照すると、第1の方式では、振幅および位相調整器は以下を含む。
【００８３】
減衰器と、移相器とは、
減衰器は、自己干渉チャネルパラメータに従って、無線周波数基準信号の遅延信号であり、無線周波数選択スイッチによって送信された受信遅延信号に対して振幅調整処理を実行するように構成され、
移相器は、自己干渉チャネルパラメータに従って、無線周波数基準信号の遅延信号であり、減衰器によって振幅調整処理が実行された後に取得された遅延信号に対して移相処理を実行するように構成される。
【００８４】
図6、図7、図8、および図9に対応する実施形態では、自己干渉信号復元モジュール1502によって解消され得る時間干渉チャネルの最小のマルチパス遅延差がTである場合、各遅延タップによって生成される遅延をTに設定することができ、すなわち、各遅延は、1つの無線周波数基準信号に対して遅延Tを形成することができる。最小のマルチパス遅延差は、ピアエンドのベースバンド送信信号の帯域幅Wに従って決定され、すなわち、
【数１】
0006562566.tif 000002
であり、ここで、α≧1であり、α＞1のとき、実装用に超解像アルゴリズムが使用される必要がある。たとえば、送信信号帯域幅は、W＝40MHzであり、
【数２】
0006562566.tif 000003
を使用することができる。遅延タップの量がM＝16である場合、MT＝400nsの最大遅延を有する復元自己干渉信号を復元することができる。これは、放出器から60メートル離れた反射器によって反射される信号と等価である。
【００８５】
（5）カプラ140
カプラ140は、第1のタイプの干渉除去器130によって生成された第1の処理信号および第2のタイプの干渉復元器150によって送信された復元自己干渉信号を受信し、復元自己干渉信号に従って第1の処理信号内の第2のタイプの自己干渉成分を除去して、第2の処理信号を生成するように構成される。
【００８６】
（6）ダウンコンバータ160
ダウンコンバータ160は、カプラ140によって送信された第2の処理信号に対してダウンコンバージョン処理を実行して第3の処理信号を生成するように構成される。ワイヤレス送信プロセスにおいて、無線周波数受信信号は高周波信号として送信されるので、本明細書におけるダウンコンバージョン処理は、高周波信号成分を低周波信号成分に変換して、第2のタイプの干渉復元器150によって実行される自己干渉チャネル推定に対する高周波信号成分の悪影響を回避することである。
【００８７】
（7）ADC170
ADC170は、ダウンコンバータ160によって送信された第3の処理信号に対してアナログデジタル変換を実行してデジタル信号を生成するように構成される。
【００８８】
（8）分波器180
図2は、構造および基本動作原理が分波器120のそれらと同じである分波器180をさらに示す。分波器180は、ADC170によって送信されたデジタル信号を2つのデジタル信号に分割するように構成され、ここで、1つの信号は出力信号として使用され、他の信号は第2のタイプの干渉復元器150の入力信号として使用される。
【００８９】
図10を参照すると、干渉除去装置は、第1の増幅器190をさらに含み、ここで、第1の増幅器190は、カプラ140とダウンコンバータ160との間に配置され（図10では、第1の増幅器の例としてLNAが使用される）、第1の増幅器190は、第2の処理信号を増幅するように構成される。第1の増幅器は第2の処理信号を増幅し、それにより、無線周波数送信信号の電力に対する送信機側の要件を低減することができる。
【００９０】
オプションの方式では、図11を参照すると、干渉除去装置は、
第1のタイプの干渉除去器130とカプラ140との間に配置され、第1の処理信号を増幅するように構成された第2の増幅器200と、
分波器120と第2のタイプの干渉復元器150との間に配置され、第2のタイプの干渉復元器
によって受信された無線周波数基準信号を増幅するように構成された第3の増幅器210と
をさらに含む。
【００９１】
図11では、たとえば、第2の増幅器と第3の増幅器の両方がLNAである。第2の増幅器は、雑音低減処理の前に第1の処理信号を増幅し、第3の増幅器は、第2のタイプの干渉復元器150に入る無線周波数基準信号を増幅する。このようにして、無線周波数基準信号の電力に対する送信機側の要件を低減することができ、無線周波数送信信号の電力に対する送信機側の要件がさらに低減される。
【００９２】
全二重トランシーバが複数のアンテナを使用することによって受信および送信を実行する（Multiple Input Multiple Output、MIMO）とき、各受信アンテナに対応する受信支流は、各送信支流に対応する復元自己干渉信号を復元し、第1のタイプの自己干渉成分を1つずつ除去するために、各送信アンテナに対応する近距離場ジャマーを必要とすることに留意されたい。
【００９３】
本発明の実施形態による干渉除去装置では、メイン受信アンテナによって取得された無線周波数受信信号に対して、無線周波数受信信号内の第1のタイプの自己干渉成分を除去し、第1の処理信号を取得するために、無線周波数基準信号に従って干渉除去処理が実行され、さらに、第1の処理信号内の第2のタイプの自己干渉成分を除去するために、自己干渉チャネル推定を介して復元自己干渉信号が取得される。第2のタイプの自己干渉成分を除去するために、アナログ領域内で復元自己干渉信号が直接使用されるので、ADC／DACのダイナミックレンジによる制限を回避することができ、第2のタイプの自己干渉成分を効果的に除去することができる。
【００９４】
本発明の実施形態による干渉除去装置は、図1〜図11を参照して上記で詳細に記載されている。以下では、図12を参照して、本発明の実施形態による干渉除去方法を詳細に記載する。
【００９５】
図12は、干渉除去方法の概略フローチャートを示し、方法は以下のステップを含む。
【００９６】
101．送信信号に従って生成された無線周波数基準信号を取得する。
【００９７】
102．メイン受信アンテナを使用することによって無線周波数受信信号を受信する。
【００９８】
103．無線周波数基準信号に従って無線周波数受信信号内の第1のタイプの自己干渉成分を除去して、第1の処理信号を生成し、ここで、第1のタイプの自己干渉成分はメインパス自己干渉成分を含む。
【００９９】
104．自己干渉チャネルパラメータおよび無線周波数基準信号に従って復元自己干渉信号を取得する。
【０１００】
105．復元自己干渉信号に従って第1の処理信号内の第2のタイプの自己干渉成分を除去して、第2の処理信号を生成する。
【０１０１】
106．第2の処理信号に対してダウンコンバージョン処理を実行して第3の処理信号を生成する。
【０１０２】
107．第3の処理信号に対してアナログデジタル変換を実行してデジタル信号を生成する。
【０１０３】
108．デジタルベースバンド基準信号を取得し、デジタルベースバンド基準信号およびデジタル信号に従って自己干渉チャネル推定を実行して、自己干渉チャネルパラメータを取得する。
【０１０４】
具体的には、ステップ101において、ベースバンド処理（たとえば、デジタルアナログ変換、アップコンバージョン、および電力増幅などの処理）の後の送信信号は、無線周波数基準信号として使用され、たとえば、カプラまたは電力分配器に入力される場合がある。したがって、無線周波数基準信号は、カプラまたは電力分配器によって2つの信号に分割することができ、ここで、1つの信号は第1の処理信号を生成するために使用され、他の信号は復元自己干渉信号を生成するために使用される。
【０１０５】
場合によっては、ステップ108において、デジタルベースバンド基準信号を取得することは、具体的に、無線周波数基準信号に対してデジタルサンプリングを実行することによって、デジタルベースバンド基準信号を取得することを含む。
【０１０６】
加えて、2つの信号の波形が送信信号の波形と一致することができるような方式で、無線周波数基準信号を2つの信号に分割するためにカプラまたは電力分配器が使用され、このことは、無線周波数基準信号に基づく後続の（第1のタイプの自己干渉成分の除去および第2のタイプの自己干渉成分の除去を含む）干渉除去に効果的であり、ここで、波形の一致は、波形が送信信号の波形と同じであること、または波形の類似度がプリセット範囲内であることを含む。
【０１０７】
場合によっては、ステップ105の後に、方法は、第2の処理信号を増幅することをさらに含む。
【０１０８】
代替として、場合によっては、ステップ103の後に、方法は、第1の処理信号を増幅することをさらに含み、
ステップ104において自己干渉チャネルパラメータおよび無線周波数基準信号に従って復元自己干渉信号を取得することの前に、方法は、無線周波数基準信号を増幅することをさらに含む。
【０１０９】
様々な信号の上記の増幅は、低雑音増幅器（LNA）を使用することによって実行される増幅である。第2の処理信号を直接増幅することにより、無線周波数送信信号の電力に対する送信機側の要件を低減することができる。代替として、個別に、第1の処理信号を増幅し、自己干渉信号復元モジュールに入る無線周波数基準信号を増幅することにより、無線周波数基準信号の電力に対する要件を低減し、無線周波数送信信号の電力に対する送信機側の要件をさらに低減することもできる。
【０１１０】
場合によっては、ステップ103において、無線周波数基準信号に従って無線周波数受信信号内の第1のタイプの自己干渉成分を除去して、第1の処理信号を生成することは、
無線周波数基準信号の振幅が、無線周波数受信信号内の第1のタイプの自己干渉成分の振幅と反対もしくはほぼ反対の方向になり、無線周波数基準信号の位相が、無線周波数受信信号内の第1のタイプの自己干渉成分の位相と同じもしくはほぼ同じになるように、無線周波数受信信号に基づいて、無線周波数基準信号に対する遅延処理、振幅調整処理、および位相調整処理を実行すること、または
無線周波数基準信号の振幅が、無線周波数受信信号内の第1のタイプの自己干渉成分の振幅と同じもしくはほぼ同じになり、無線周波数基準信号の位相と無線周波数受信信号内の第1のタイプの自己干渉成分の位相との間の差が、180度もしくはほぼ180度になるように、無線周波数受信信号に基づいて、無線周波数基準信号に対する遅延処理、振幅調整処理、および位相調整処理を実行すること
を含む。
【０１１１】
本発明の実施形態では、たとえば、直列に接続された遅延器、位相調整器、および振幅調整器によって構成される調整回路が、実装に使用される場合がある。したがって、ステップ103において、無線周波数基準信号の振幅および位相は、遅延、移相、減衰などを介して、調整回路によって調整される場合がある。たとえば、減衰を介して、無線周波数基準信号の振幅は、無線周波数受信信号内の第1のタイプの自己干渉成分の振幅に達する場合がある。確かに、最良の効果は、振幅が同じであることである。しかしながら、実際の用途では誤差が存在するので、振幅はほぼ同じであるように調整される場合がある。加えて、移相および／または遅延を介して、無線周波数基準信号の位相は、無線周波数受信信号内の（メインパス干渉信号を含む）第1のタイプの自己干渉成分の位相と反対またはほぼ反対であるように調整される場合がある。
【０１１２】
その後、遅延処理、および振幅調整、および位相調整の後の無線周波数基準信号は、無線周波数受信信号内の第1のタイプの自己干渉成分を除去するために、無線周波数受信信号と合成（たとえば、加算）される場合がある。このようにして、第1のタイプの自己干渉成分の除去処理が無線周波数受信信号に対して実施され、処理後の信号は第1の処理信号として使用される。
【０１１３】
限定ではなく例示のために、本発明の実施形態では、振幅調整器は、たとえば、減衰器であり得る。位相調整器は、たとえば、移相器であり得るし、遅延器は遅延線であり得る。
【０１１４】
無線周波数基準信号に基づいて無線周波数受信信号内の第1のタイプの自己干渉成分を除去するための、上記に示された方法およびプロセスは、例示的な説明のためのものにすぎず、本発明はそれらに限定されないことを理解されたい。たとえば、遅延器、移相器、および減衰器は、第1の処理信号の強度を最小化する方式で調整される場合もある。
【０１１５】
場合によっては、ステップ104において、自己干渉チャネルパラメータおよび無線周波数基準信号に従って復元自己干渉信号を取得することは、
少なくとも1回無線周波数基準信号に対して遅延処理を実行して、少なくとも1つの無線周波数基準信号の遅延信号を形成することと、
自己干渉チャネルパラメータに従って、各無線周波数基準信号の遅延信号に対して振幅および位相の調整を実行することと、
無線周波数基準信号の遅延信号であり、振幅および位相の調整後に取得された遅延信号に対して合成処理を実行して、復元自己干渉信号を生成することと
を含む。
【０１１６】
さらに、ステップ104において、自己干渉チャネルパラメータに従って、各無線周波数基準信号の遅延信号に対して振幅および位相の調整を実行することは、以下の、
自己干渉チャネルパラメータに従って、無線周波数基準信号の遅延信号に対して振幅調整処理を実行すること、および
自己干渉チャネルパラメータに従って、無線周波数基準信号の遅延信号であり、振幅調整処理が実行された後に取得された遅延信号に対して移相処理を実行すること
の方式で実施される場合がある。
【０１１７】
上記の実施形態の説明によれば、さらに、送信信号は、間隔をおいて配置された自己干渉チャネル推定タイムスロットおよびデータ送信タイムスロットを含む。自己干渉チャネル推定タイムスロットでは、通信ピアは信号を送信せず、受信機によって受信された信号は、自己干渉信号のみを含む。通信ピアからの信号が存在しないので、受信機は、自己干
渉チャネル推定タイムスロット内で自己干渉チャネル推定を実行して自己干渉チャネルパラメータを取得することができ、ここで、自己干渉チャネルパラメータは、第2のタイプの自己干渉成分の送信経路遅延、位相、および振幅を示すパラメータを含む場合がある。データ送信タイムスロットでは、受信機によって受信された信号は、自己干渉信号およびデータ信号を含み、受信機は、無線周波数基準信号および自己干渉チャネルパラメータに従って、データ送信タイムスロット内で復元自己干渉信号を生成し、復元自己干渉信号を使用して第2のタイプの自己干渉成分を除去することがでる。特定のインスタンスは、本明細書ではこれ以上記載されない。詳細には、装置の実施形態における説明に対して参照が行われる。
【０１１８】
本発明の実施形態による干渉除去方法では、メイン受信アンテナによって取得された無線周波数受信信号に対して、無線周波数受信信号内の第1のタイプの自己干渉成分を除去し、第1の処理信号を取得するために、無線周波数基準信号に従って干渉除去処理が実行され、さらに、第1の処理信号内の第2のタイプの自己干渉成分を除去するために、自己干渉チャネル推定を介して復元自己干渉信号が取得される。第2のタイプの自己干渉成分を除去するために、アナログ領域内で復元自己干渉信号が直接使用されるので、ADC／DACのダイナミックレンジによる制限を回避することができ、第2のタイプの自己干渉成分を効果的に除去することができる。
【０１１９】
本明細書で開示された実施形態に記載された例と組み合わせて、ユニットおよびアルゴリズムステップは、電子ハードウェア、またはコンピュータソフトウェアと電子ハードウェアの組合せによって実装され得ることを、当業者なら認識することができる。機能がハードウェアによって実施されるか、ソフトウェアによって実施されるかは、技術的解決策の特定の適用例および設計制約条件に依存する。当業者は、特定の適用例ごとに様々な方法を使用して記載された機能を実装することができるが、その実装形態は本発明の範囲を超えると考えられるべきではない。
【０１２０】
便利かつ簡単な説明のために、上記のシステム、装置、およびユニットの詳細な稼働プロセスについては、上記の方法実施形態の中の対応するプロセスを参照することができ、詳細は本明細書においてふたたび記載されないことを、当業者なら明確に理解することができる。
【０１２１】
上記のプロセスのシーケンス番号は、本発明の様々な実施形態における実行順序を意味しないことを理解されたい。プロセスの実行順序は、プロセスの機能および内部論理に従って決定されるべきであり、本発明の実施形態の実装プロセスに対するいかなる制限としても解釈されるべきではない。
【０１２２】
本出願において提供されたいくつかの実施形態では、開示された装置は他の方式で実装され得ることを理解されたい。たとえば、記載された装置実施形態は例にすぎない。たとえば、ユニット分割は論理的な機能分割にすぎず、実際の実装形態では他の分割もあり得る。たとえば、複数のユニットまたは構成要素は、組み合わされるか、もしくは別のシステムの中に統合される場合があり、または、いくつかの機能は、無視されるか、もしくは実行されない場合がある。加えて、表示または説明された相互結合または直接結合または通信接続は、いくつかのインターフェースを介して実装される場合がある。装置またはユニットの間の間接結合または通信接続は、電子式、機械式、または他の形態で実装される場合がある。
【０１２３】
別々の部品として記載されたユニットは物理的に別々であってもなくてもよく、ユニットとして表示された部品は、物理的なユニットであってもなくてもよく、1つの場所に位置する場合があるか、または複数のネットワークユニット上に分散される場合がある。ユ
ニットのうちのいくつかまたはすべては、実施形態の解決策の目的を達成するために、実際の必要に応じて選択される場合がある。
【０１２４】
加えて、本発明の実施形態における機能ユニットは、1つの処理ユニットに統合される場合があるか、またはユニットの各々は物理的に単独で存在する場合があるか、または2つ以上のユニットが1つのユニットに統合される。
【０１２５】
機能がソフトウェア機能ユニットの形態で実装され、独立した製品として販売または使用されると、機能は、コンピュータ可読記憶媒体に記憶される場合がある。そのような理解に基づいて、本質的もしくは部分的に従来技術に寄与する本発明の技術的解決策、または技術的解決策のうちのいくつかは、ソフトウェア製品の形態で実装される場合がある。コンピュータソフトウェア製品は記憶媒体に記憶され、本発明の実施形態に記載された方法のステップのうちのすべてまたはいくつかを実施するように、（パーソナルコンピュータ、サーバ、またはネットワークデバイスであり得る）コンピュータデバイスに命令するためのいくつかの命令を含む。上記の記憶媒体には、USBフラッシュドライブ、リムーバブルハードディスク、読取り専用メモリ（ROM、Read−Only Memory）、ランダムアクセスメモリ（RAM、Random Access Memory）、磁気ディスク、または光ディスクなどの、プログラムコードを記憶することができる任意の媒体が含まれる。
【０１２６】
上記の説明は、本発明の特定の実装方式にすぎず、本発明の保護範囲を限定するものではない。本発明において開示された技術的範囲内で、当業者が容易に考え付くいかなる変形または置換も、本発明の保護範囲内に入るべきである。したがって、本発明の保護範囲は、特許請求の範囲の保護範囲に従うべきである。
【符号の説明】
【０１２７】
110  メイン受信アンテナ
120  分波器
121  分波器の入力端
122  分波器の第1の出力端
123  分波器の第2の出力端
130  第1のタイプの干渉除去器
131  第1のタイプの干渉除去器の第1の入力端
132  第1のタイプの干渉除去器の第2の入力端
133  第1のタイプの干渉除去器の出力端
140  カプラ
141  カプラの第1の入力端
142  カプラの第2の入力端
143  カプラの出力端
150  第2のタイプの干渉復元器
151  第2のタイプの干渉復元器の第1の入力端
152  第2のタイプの干渉復元器の第2の入力端
153  第2のタイプの干渉復元器の出力端
154  第2のタイプの干渉復元器の第3の入力端
1501  自己干渉推定モジュール
1502  自己干渉信号復元モジュール
160  ダウンコンバータ
161  ダウンコンバータの入力端
162  ダウンコンバータの出力端
170  ADC
171  ADCの入力端
172  ADCの出力端
【図１】
0006562566.tif 000004
【図２】
0006562566.tif 000005
【図３】
0006562566.tif 000006
【図４】
0006562566.tif 000007
【図５】
0006562566.tif 000008
【図６】
0006562566.tif 000009
【図７】
0006562566.tif 000010
【図８】
0006562566.tif 000011
【図９】
0006562566.tif 000012
【図１０】
0006562566.tif 000013
【図１１】
0006562566.tif 000014
【図１２】
0006562566.tif 000015